(57)【特許請求の範囲】
【請求項１】
原水を収容する本体容器と、この本体容器の内部に装着され異種類の陽イオン交換樹脂を収容するカートリッジ容器と、前記本体容器の上端口部に取り付けられるとともに、前記カートリッジ容器の上部にその吸上管を連結した噴霧装置とからなり、前記本体容器内の原水を前記カートリッジ容器にこれの下部から通して前記噴霧装置より噴霧する構成とした肌用水調製器において、
前記カートリッジ容器の内部にＮａ型又はＫ型の陽イオン交換樹脂層と、Ｈ型の陽イオン交換樹脂層とが上下方向で複数層をなす状態に配置され、その複数層のうちの最下層にＨ型の陽イオン交換樹脂層を、最上層にＮａ型又はＫ型の陽イオン交換樹脂層をそれぞれ位置させ、原水の総硬度に応じて人の肌や髪のｐＨに近い４から６の弱酸性水が得られるようにＨ型の陽イオン交換樹脂層の体積比率を２０〜５０％に設定し、残りの５０〜８０％をＮａ型又はＫ型の陽イオン交換樹脂層の体積比率に設定したことを特徴とする肌用水調製器。
【請求項２】
Ｈ型の陽イオン交換樹脂層の体積比率は２０〜３０％、Ｎａ型又はＫ型の陽イオン交換樹脂層の体積比率は７０〜８０％であることを特徴とする請求項１に記載の肌用水調製器。
【請求項３】
前記カートリッジ容器内において最下層のＨ型の陽イオン交換樹脂層の下側に活性炭素層を設けてあることを特徴とする請求項１または２に記載の肌用水調製器。
【請求項４】
前記Ｈ型の陽イオン交換樹脂層とＮａ型又はＫ型の陽イオン交換樹脂層との間に焼結フィルタを介在している請求項１から３のいずれか１項に記載の肌用水調製器。
【請求項５】
前記最上層のＮａ型又はＫ型の陽イオン交換樹脂層の上側に焼結フィルタを介して制菌性フィルタを設けている請求項１〜４のいずれか１項に記載肌用水調製器。
【請求項６】
容器本体及びカートリッジ容器は透明材料により形成し、Ｈ型の陽イオン交換樹脂層は指示薬染料で着色してあることを特徴とする請求項１〜５のいずれか１項に記載の肌用水調製器。
【請求項７】
原水を収容する本体容器と、この本体容器の内部に装着され異種類の陽イオン交換樹脂を収容するカートリッジ容器と、前記本体容器の上端口部に着脱可能に取り付けられるとともに、前記カートリッジ容器の上部にその吸上管を連結した噴霧装置とからなり、前記本体容器内の原水を前記カートリッジ容器にこれの下部から通して前記噴霧装置より噴霧する構成とした肌用水調製器において、
前記カートリッジ容器の内部にＮａ型又はＫ型の陽イオン交換樹脂層とＨ型の陽イオン交換樹脂層とを上下に位置させ、
最上層に位置するＮａ型又はＫ型の陽イオン交換樹脂層と最下層に位置するＨ型の陽イオン交換樹脂層との間に焼結フィルタが介在されており、
最下層に位置するＨ型の陽イオン交換樹脂層の下側に焼結フィルタを介して活性炭素層を設けてあり、
最上層に位置するＮａ型又はＫ型の陽イオン交換樹脂層の上側に焼結フィルタを介して制菌性フィルタを設け、
原水の総硬度に応じて人の肌や髪のｐＨに近い４から６の弱酸性水が得られるようにＨ型の陽イオン交換樹脂層の体積比率を２０〜５０％に設定し、残りの５０〜８０％をＮａ型又はＫ型の陽イオン交換樹脂層の体積比率に設定していることを特徴とする肌用水調製器。
【発明の詳細な説明】
技術分野
本発明は、水道水などの原水を陽イオン交換樹脂に通すことにより肌の保湿や保健に有用な弱酸性軟水からなる肌用水を調製するための肌用水調製器に関する。
背景技術
水道水を陽イオン交換樹脂に通すことにより人の肌の保湿や保健に有用な軟水を調製する肌用水調製器は、例えば、特許第２９８９１５０号に提案されている。この特許第２９８９１５０号に記載された肌用水調製器のうちの一つを図４に示すが、これは、原水１を収容する本体容器２と、陽イオン交換樹脂を収容するカートリッジ容器３と、本体容器２の上端口部に取り付けられるとともに、カートリッジ容器３の上部にその吸上管１７を連結した噴霧装置４とからなり、本体容器２内の原水１をカートリッジ容器３にこれの下部から通して噴霧装置４より噴霧する構成としてある。
前記カートリッジ容器３の内部は仕切板３０を介して原水１の流れ方向に沿って平行に区画した第１収容筒部３１と第２収容筒部３２とを設け、第１収容筒部３１内にＮａ型又はＫ型の陽イオン交換樹脂を充填してＮａ型又はＫ型の陽イオン交換樹脂層３３を形成し、第２収容筒部３２内にＨ型の陽イオン交換樹脂を充填してＨ型の陽イオン交換樹脂層３４を形成してある。
かくして、噴霧装置４の押圧操作により本体容器２内の原水１がカートリッジ容器３内においてＮａ型又はＫ型の陽イオン交換樹脂層３３側とＨ型の陽イオン交換樹脂層３４側に分かれて通り、原水１中に存在するカルシウムイオン、マグネシウムイオンなど硬質なイオンがＮａ型又はＫ型の陽イオン交換樹脂層３３で軟質なＮａイオン又はＫイオンにイオン交換されるとともに、Ｈ型の陽イオン交換樹脂層３４でＨイオンにイオン交換される。その後、前記イオン交換された２種の軟水は、活性炭素３５、焼結フィルタ３６、及び制菌性フィルタ層３７を通って混合され、この混合水が吸上管１７内の吸上管１８を通って噴霧装置４の先端のノズル部１９ｂより噴霧されるというものである。
しかし、原水１をＮａ型又はＫ型の陽イオン交換樹脂層３３とＨ型の陽イオン交換樹脂層３４に同時に並行に通して処理する上記肌用水調製器では、軟水が得られるだけで、肌や髪のｐＨに近くて刺激が少なく、美容に良いとされる弱酸性の軟水を得ることが難しい。
すなわち、Ｈ型の陽イオン交換樹脂層３４を通る原水は該陽イオン交換樹脂層３４に存在する水素イオンと原水中のカルシウムイオンなどの陽イオンとがイオン交換して軟化される同時に水素イオンが増加するため、強酸性になる。またＮａ型又はＫ型の陽イオン交換樹脂層３３を通る原水は該陽イオン交換樹脂層３３に存在するナトリウムイオン又はカリウムイオンなどと原水中のカルシウムイオンなどの陽イオンとがイオン交換して水中にナトリウムイオン又はカリウムイオンが増えることになるため、軟水が得られるが、水素イオンが増えるわけではないので、弱酸性にはならない。つまり、原水が並列状に配されたＮａ型又はＫ型の陽イオン交換樹脂層３３とＨ型の陽イオン交換樹脂層３４を並行に通って処理される上記肌用水調製器では、軟水化することができても、美容に良いとされる弱酸性化にすることが難しい。
また、Ｎａ型又はＫ型の陽イオン交換樹脂とＨ型の陽イオン交換樹脂とは粒度や密度が違うため、原水のＮａ型又はＫ型の陽イオン交換樹脂層での通水速度とＨ型の陽イオン交換樹脂層での通水速度が異なり、両層を同一速度で通水させることができない。したがって、原水１をＮａ型又はＫ型の陽イオン交換樹脂層３３とＨ型の陽イオン交換樹脂層３４に並行して通水した後に混合するにしても安定したｐＨ値を得ることができない。
本発明の目的は、水道水などの原水を異種の陽イオン交換樹脂に通すことにより弱酸性軟水からなる肌用水を簡単に調製できる肌用水調製器を提供することにある。本発明の他の目的は、異種の陽イオン交換樹脂層の組み合わせと配列の仕方に工夫を凝らすことにより、原水の水質いかんにかかわらず、常に安定したｐＨの弱酸性軟水からなる肌用水を簡単に調製できる肌用水調製器を提供することにある。
発明の開示
本発明は、原水を収容する本体容器と、この本体容器の内部に装着され異種類の陽イオン交換樹脂を収容するカートリッジ容器と、前記本体容器の上端口部に取り付けられるとともに、前記カートリッジ容器の上部にその吸上管を連結した噴霧装置とからなり、前記本体容器内の原水を前記カートリッジ容器内にこれの下部から通して前記噴霧装置より噴霧する構成とした肌用水調製器において、前記カートリッジ容器の内部にＮａ型又はＫ型の陽イオン交換樹脂層と、Ｈ型の陽イオン交換樹脂層を上下二層またはそれ以上の複数層に形成し、そのうち最下層にＨ型の陽イオン交換樹脂層が、最上層にＮａ型又はＫ型の陽イオン交換樹脂層がそれぞれ配されるようにしたものである。
この肌用水調製器によれば、原水をカートリッジ容器内にこれの下部から通すと、原水はＨ型の陽イオン交換樹脂層を通過後にＮａ型又はＫ型の陽イオン交換樹脂層を通過することになる。原水は、先ずＨ型の陽イオン交換樹脂層を通過することにより、陽イオン交換樹脂層に存在する水素イオンと原水中のカルシウムイオン、マグネシウムイオンなどの陽イオンとがイオン交換して軟化されると同時に、水素イオンが増加するため強酸性になる。次いで、この強酸性水は、Ｎａ型又はＫ型の陽イオン交換樹脂層を通過することにより該陽イオン交換樹脂層に存在するナトリウムイオン又はカリウムイオンなどと水中のカルシウムイオン、マグネシウムイオンなどの陽イオンとがイオン交換して軟水化されると同時に、過剰な水素イオンがナトリウムイオン又はカリウムイオンなどの陽イオンとイオン交換され、中性化されて弱酸性水になり、肌や髪に対して刺激が少なく、美容に良い弱酸性の肌用水を得ることができる。
しかも、Ｎａ型又はＫ型の陽イオン交換樹脂層とＨ型の陽イオン交換樹脂層とを上下に直列状に配しておくと、原水は各イオン交換樹脂層を同じ速度で通過することになるため、安定したｐＨの弱酸性水が得られる。
他の発明に係る肌用水調製器は、上記の肌用水調製器において、最下層のＨ型の陽イオン交換樹脂層の下側に活性炭素層を設けるというものである。
この肌用水調製器によれば、水道水による原水が最下層のＨ型の陽イオン交換樹脂層に通る前に活性炭素層により水道水中に含まれる殺菌用の塩素が除去されるので、肌用水として好ましいばかりか、陽イオン交換樹脂層の塩素による劣化を防止できる。
更に、他の発明に係る肌用水調製器は、上記の肌用水調製器において、Ｎａ型又はＫ型の陽イオン交換樹脂層とＨ型の陽イオン交換樹脂層との間に焼結フィルタを介在するというものである。
この肌用水調製器によれば、Ｎａ型又はＫ型の陽イオン交換樹脂とＨ型の陽イオン交換樹脂とが焼結フィルタを介して仕切られるため混ざることが無くなる。
更に又、他の発明に係る肌用水調製器は、上記の肌用水調製器において、最上層のＮａ型又はＫ型の陽イオン交換樹脂層の上側に焼結フィルタを介して制菌性フィルタを設けるというものである。
この肌用水調製器によれば、噴霧前の弱酸性軟水に菌が発生するのを防止できる。
更に又、原水の総硬度は地域によってさまざまであるので、上記の肌用水調製器において、原水の総硬度に応じてＨ型の陽イオン交換樹脂層の体積比率を適宜調製することが肌用水の弱酸性水を得るうえで好ましいが、その調製の頻度を少なくし、幅広い地域に対応させるためには、Ｈ型の陽イオン交換樹脂層の体積比率は２０〜５０％、より好ましくは２０〜３０％とするとよい。
Ｈ型の陽イオン交換樹脂層の体積比率が２０％未満では、Ｈ型の陽イオン交換樹脂層に存在する水素イオンと原水中のカルシウムイオンなどの陽イオンとがイオン交換しても水素イオンが増えないためｐＨ値が著しく低下することはなく、５０％を越えると、Ｈ型の陽イオン交換樹脂層に存在する水素イオンと原水中のカルシウムイオンなどの陽イオンとがイオン交換することにより水素イオンが過剰に増加するためｐＨが極度に減少する。したがって、ｐＨ値を目標とする人の肌や髪のｐＨに近い４から６程度（弱酸性水）に調製するに際し、地域により異なる原水の総硬度に応じたＨ型の陽イオン交換樹脂層の体積比率の調製の頻度を少なくし、幅広い地域に対応させるためにはＨ型の陽イオン交換樹脂層の体積比率が２０〜５０％、より好ましくは２０〜３０％とするとよい。
更に又、他の発明に係る肌用水調製器は、上記の肌用水調製器において、容器本体及びカートリッジ容器を透明材料により形成し、Ｈ型の陽イオン交換樹脂層は指示薬染料で着色するというものである。
この肌用水調製器によれば、Ｈ型の陽イオン交換樹脂層の変色により陽イオン交換樹脂の能力限界（寿命）を一目で判別することができる。
発明を実施するための最良の形態
本発明の最良の実施形態を図１に基づき説明する。本発明の肌用水調製器は、透光性を有する樹脂又は透明ガラスからなって水道水などの原水１が収容される本体容器２と、この本体容器２の内部に装着され異種類の陽イオン交換樹脂を収容するカートリッジ容器３、本体容器１に着脱可能に取り付けられる噴霧装置４、及び噴霧装置４に被せるキャップ５を備える。
カートリッジ容器３は、本体容器２と同様に透光性を有する樹脂又は透明ガラスからなり、本体容器２の上端の口部６の内径より小径の有底筒形状に形成され、その底７が本体容器２の内底面の近傍に位置するように装着される。このカートリッジ容器３の底７には原水１の流入孔８が設けられる。カートリッジ容器３の内部には活性炭層９、焼結フィルタ１０、Ｈ型の陽イオン交換樹脂層１１、焼結フィルタ１２、Ｎａ型又はＫ型の陽イオン交換樹脂層１３、焼結フィルタ１４、及び制菌性フィルタ層１５が順次設けられている。また制菌性フィルタ層１５の上部には貯水室１６が設けられている。
前記活性炭層９は繊維状の活性炭からなる。前記制菌性フィルタ層１５は、光エネルギー変換作用を有して有機物を分解できる光半導体セラミックを無機繊維の不織布からなる微多孔質基材に固定した光半導体不織布からなる。
前記噴霧装置４は、吸上管１７、注出管１８、ヘッド部材１９、軸受部材２０、及び取付部材２１からなる周知の直圧式のものである。
前記吸上管１７は、その下部がカートリッジ容器３にカートリッジシール材からなる連結材２２を介して一体的に連結されている。該吸上管１７には、前記連結部材２２との接続部の上部に空気孔１７ａが設けられるとともに、前記貯水室１６内に位置する下端部が小径に搾られ、この搾られ部分の上部に逆止玉弁２６が収容されている。
前記注出管１８は、前記吸上管１７の内部に軸心に沿って上下方向に移動可能に挿入されるパイプ材からなる。そして、この注出管１８には、その下端閉鎖部の側面に給水孔１８ａが設けられるとともに、その略中央部には抜止め用の鍔部１８ｂが設けられている。また、この注出管１８の下部には、前記吸上管１７の内周面との間をシールするシール部材２３が取り付けられるとともに、このシール部材２３の上側にばね２４を入れ、このばね２４により注出管１８を常に上方に押し上げ付勢している。
前記ヘッド部材１９は注出管１８の上端部に取り付けられるもので、該注出管１８の中空部と連通する流水路１９ａが設けられるとともに、該流水路１９ａの先端に霧状に噴霧するノズル部１９ｂが形成されている。
前記軸受部材２０は、その軸心の挿通孔２０ａ内に前記注出管１８を上下移動可能に挿通保持するとともに、前記吸上管１７の上端部を保持しており、該吸上管１７を介して前記カートリッジ容器３が一体的に保持されている。また軸受部材２０には、前記鍔部１８ｂと係合する係止部２０ｂが設けられている。
前記取付部材２１は軸受部材２０を本体容器２の口部６上に位置決めして取り付けるもので、その下端内周面には本体容器２の上部外周面に設けた外ねじ部２ａに螺合する内ねじ部２１ａが設けられている。なお、前記軸受部材２０と本体容器２との間にはシール用のパッキン２５を装着してある。
上記構成の肌用水調製器を使用するには、原水１として一般家庭などで簡単に入手できる水道水を本体容器２に噴霧装置４を外して入れ、次いで噴霧装置４を付け直して噴霧装置４のヘッド部材１９を下向きに押圧する。これにより、注出管１８が一体に下降し、ヘッド部材１９と取付部材２１との間の空気が注出管１８と軸受部材２０との隙間を通って吸上管１７内に押し込まれた後、該吸上管１７の空気孔１７ａを通って本体容器２内に供給される。
このように本体容器２内に空気が供給されると、その空気圧により本体容器２内の原水１がカートリッジ容器３の底７の流入孔８よりカートリッジ容器３内に活性炭層９及び焼結フィルタ１０を介して流入する。その際、活性炭素層９により原水１中に殺菌用の塩素が含まれている場合その塩素が除去される。また焼結フィルタ１０により原水１中の混入物が除去される。
そして、原水１は、Ｈ型の陽イオン交換樹脂層１１を通って上昇する間に原水１中に含有しているカルシウムイオン、マグネシウムイオンなどの陽イオンが陽イオン交換樹脂層１１に存在する水素イオンとイオン交換されて軟水となると同時に、水素イオンが増加するため強酸性水になる。この強酸性軟水は、更に、Ｎａ型又はＫ型の陽イオン交換樹脂層１３を通過することにより該陽イオン交換樹脂層１３に存在するナトリウムイオン又はカリウムイオンなどと水中のカルシウムイオン、マグネシウムイオンなどの陽イオンとがイオン交換して軟水化されると同時に、過剰な水素イオンがナトリウムイオン又はカリウムイオンなどの陽イオンとイオン交換され、中性化されて弱酸性水になる。
また、このとき原水１はＨ型の陽イオン交換樹脂層１１を同じ速度で通過し、この通過後、Ｎａ型又はＫ型の陽イオン交換樹脂層１３をも同じ速度で通過するため、安定したｐＨの弱酸性水が得られる。
次いで、このように調製された弱酸性軟水は、焼結フィルタ１４及び制菌性フィルタ層１５を通過して貯水室１６内に流入する。その際に弱酸性軟水中に混入物がある場合は焼結フィルタ１４により再度除去され、細菌が発生している場合は制菌性フィルタ層１５により殺菌され、またヘッド部材１９のノズル部１９ｂを介して外部からカートリッジ容器３内に侵入する微生物の活性を喪失することもできる。
このように弱酸性軟水が肌用水に調製されて貯水室１６内に流入すると、噴霧装置４の吸上管１７に吸い上げられて逆止玉弁２６を上方に持ち上げながら該吸上管１７内に流入する。その後、肌用水は、吸上管１７内に挿通した注出管１８の給水孔１８ａより該注出管１８内に流入し、該注出管１８内を更に上昇してヘッド部材１９の流水路１９ａを通り、先端のノズル部１９ｂから霧状に噴霧される。本体容器２内の原水１が無くなると、再び原水１を本体容器２に入れて使用することができる。
上記Ｈ型の陽イオン交換樹脂層１１を形成する陽イオン交換樹脂は、この陽イオン交換樹脂の能力限界（寿命）を色により判別できるものを使用する。そのために前記Ｈ型の陽イオン交換樹脂は指示薬染料により着色してあり、その指示薬染料としてはチモールレッドが使用される。チモールレッドは硬度成分により退色する染料で、Ｈ型の陽イオン交換樹脂の交換座席にあるＨ成分が硬度成分と交換放出されるに伴って本来の色を失って変色し、この変色は、原水が通るにつれてＨ型の陽イオン交換樹脂層１１の下部から起こる。したがって、使用者はその変色状態を透明な本体容器２及びカートリッジ容器３を通してＨ型の陽イオン交換樹脂層１１がイオン交換能力限界に達している否かを一目で判別することができる。
次に、上記のように上下に配列するＮａ型又はＫ型の陽イオン交換樹脂層１３とＨ型の陽イオン交換樹脂層１１の好ましい体積比率について説明する。調製する肌用水のｐＨの値は人の肌や髪のｐＨに近い４から６程度の弱酸性水にすることを目標にしている。この目標を達成するには、Ｈ型の陽イオン交換樹脂層１１の体積比率は２０〜５０％、Ｎａ型又はＫ型の陽イオン交換樹脂層１３の体積比率は５０〜８０％とし、より好ましくはＨ型の陽イオン交換樹脂層１１の体積比率は２０〜３０％、Ｎａ型又はＫ型の陽イオン交換樹脂層１３の体積比率は７０〜８０％とする。
Ｈ型の陽イオン交換樹脂層１１の体積比率が２０％未満で、Ｎａ型又はＫ型の陽イオン交換樹脂層１３の体積比率が８０％を越えると、Ｈ型の陽イオン交換樹脂層１１に存在する水素イオンと原水中のカルシウムイオンなどの陽イオンとがイオン交換しても水素イオンが増えないためｐＨ値が著しく低下することはなく、Ｈ型の陽イオン交換樹脂層１１の体積比率が５０％を越え、Ｎａ型又はＫ型の陽イオン交換樹脂層１３の体積比率が５０％未満では、Ｈ型の陽イオン交換樹脂層１１に存在する水素イオンと原水中のカルシウムイオンなどの陽イオンとがイオン交換することにより水素イオンが過剰に増加するためｐＨ値が極度に減少するため、Ｈ型の陽イオン交換樹脂層１１とＮａ型又はＫ型の陽イオン交換樹脂層１３の体積比率は上記した数値範囲が好ましい。
水道水など原水の総硬度（ｍｇ／Ｌ）は地域により異なるため（平均の総硬度（ｍｇ／Ｌ）；６０）、これにより調製される肌用水のｐＨ値も異なってしまう。肌用水は、常に所望のｐＨの弱酸性であることが望ましく、地域により異なることは好ましくない。
このように原水の総硬度（ｍｇ／Ｌ）が地域により異なる場合も、上下に配列したＮａ型又はＫ型の陽イオン交換樹脂層１３とＨ型の陽イオン交換樹脂層１１の体積比率においてＨ型の陽イオン交換樹脂層１１の体積比率を２０〜５０％、より好ましくは２０〜３０％に設定してあると、広い地域にわたって所望のｐＨ値の弱酸性肌用水を調製できることが、図２に示す実験結果で確認できた。図２は原水の総硬度と上記カートリッジ容器３内への通水後のｐＨ値との関係を示す図表である。これによれば、以下のようなことが判る。Ｈ型の陽イオン交換樹脂層１１の体積比率を２０％に設定した場合は、水道水の総硬度が４０〜１１０（ｍｇ／Ｌ）の範囲内で、所望のｐＨ４〜５．５程度の弱酸性水に調製することができる。Ｈ型の陽イオン交換樹脂層１１の体積比率を３０％に設定した場合は、水道水の総硬度が１０〜８０（ｍｇ／Ｌ）の範囲内で、所望のｐＨ４〜５．５程度の弱酸性水に調製することができる。Ｈ型の陽イオン交換樹脂層１１の体積比率を４０％に設定した場合は、水道水の総硬度が１０〜４０（ｍｇ／Ｌ）の範囲内で、所望のｐＨ４〜４．５程度の弱酸性水に調製することができる。Ｈ型の陽イオン交換樹脂層１１の体積比率を５０％に設定した場合は、水道水の総硬度が１０（ｍｇ／Ｌ）程度で、所望のｐＨ４程度の弱酸性水に調製することができる。因みに、Ｈ型の陽イオン交換樹脂層１１の体積比率を１００％に設定した場合は、いかなる総硬度の場合もすべてｐＨ値が４未満で、強酸性水しか得られないことがわかった。
上記実施例ではカートリッジ容器３内においてＮａ型又はＫ型の陽イオン交換樹脂層１３とＨ型の陽イオン交換樹脂層１１とが上下二層のみに配列されているが、これに限られず、図３に示すように、Ｎａ型又はＫ型の陽イオン交換樹脂層１３とＨ型の陽イオン交換樹脂層１１とを上下に四層以上の複数層（偶数層）に交互に焼結フィルタ１２を介して配列することもできる。ただし、この場合最下層にＨ型の陽イオン交換樹脂層１１が位置し、最上層にＮａ型又はＫ型の陽イオン交換樹脂層１３が位置するように配することが肝要である。また最下層のＨ型の陽イオン交換樹脂層１１の下側に焼結フィルタ１０を介して活性炭素層９を設ける。最上層のＮａ型又はＫ型の陽イオン交換樹脂層１３の上側には焼結フィルタ１４を介して制菌性フィルタ１５を設ける。
上記噴霧装置４は蓄圧式でもよく、本体容器２内の原水をカートリッジ容器３内を通して外部に噴霧できるものであればよい。また制菌性フィルタ層１５の構成材料は光半導体不織布に限定されず、抗菌剤を含有した粒子状の樹脂などを充填して構成することもできる。
産業上の利用可能性
本発明によれば、肌の保湿や保健に有用なｐＨで安定した弱酸性軟水からなる肌用水を簡単に調製して使用することができる。
【図面の簡単な説明】
図１は肌用水調製器の縦断面図である。
図２は原水の総硬度と調製後のｐＨの関係を示す図表である。
図３は他の実施例の肌用水調製器の縦断面図である。
図４は従来例の肌用水調製器の縦断面図である。
【図１】
0003851820.tif 000002
【図２】
0003851820.tif 000003
【図３】
0003851820.tif 000004
【図４】
0003851820.tif 000005